(57)【要約】【課題】想定以上の大電流が流れた場合であっても、使用不能になり難い鉛蓄電池を提供する。【解決手段】鉛蓄電池１００は、接続領域２２ａを有する基部２１と、タブ部３０と、セル間接続部４０とを有するストラップ２０を備え、第１方向Ｄ１に垂直な面におけるセル間接続部４０の最小断面積を第１断面積とし、接続領域２２ａとセル間接続部４０とが一方の側と他方の側となるように、ストラップ２０を分ける平面Ｐにおけるストラップ２０の最小断面積を第２断面積とした場合に、第２断面積は、第１断面積よりも大きくなっている。【選択図】図４
2020064731.tif 000002
【特許請求の範囲】
【請求項１】
正極板と負極板とがセパレータを介して交互に積層され、耳部を有する極板群と、前記極板群の前記耳部に接続されたストラップと、前記極板群および前記ストラップを各々に収納する複数のセル室とを備える鉛蓄電池であって、
前記正極板と前記負極板とが積層される方向を第１方向とし、前記耳部と前記ストラップとの接続方向を第２方向とし、前記第１方向および前記第２方向に直交する方向を第３方向とした場合に、
前記ストラップは、
前記耳部が接続される接続領域を有する基部と、
少なくとも一部が前記基部に対して前記第３方向側に位置するタブ部と、
前記タブ部から前記第１方向に突出し、隣接する前記セル室に収納された前記極板群同士を電気的に接続するセル間接続部と、
を備え、
前記第１方向に垂直な面における前記セル間接続部の最小断面積を第１断面積とし、
前記接続領域と前記セル間接続部とが一方の側と他方の側となるように、前記ストラップを分ける平面における前記ストラップの最小断面積を第２断面積とした場合に、
前記第２断面積は、前記第１断面積よりも大きくなっていることを特徴とする鉛蓄電池。
【請求項２】
前記タブ部は、
前記第２方向と交差し、前記基部と接続する傾斜面と、
前記傾斜面よりも前記セル間接続部側に設けられ、前記傾斜面よりも緩やかな傾斜を有する肩部と、
を備えることを特徴とする請求項１に記載の鉛蓄電池。
【請求項３】
前記タブ部は、傾斜面を備え、
前記傾斜面は、
前記第２方向と交差し、前記基部と接続しており、
前記基部側の幅を第１幅とし、前記基部側とは反対側の幅を第２幅とした場合に、第２幅よりも第１幅の方が大きいことを特徴とする請求項１または２に記載の鉛蓄電池。
【請求項４】
前記タブ部は、傾斜面を備え、
前記傾斜面は、前記第２方向と交差し、前記基部と接続しており、
前記タブ部は、前記傾斜面を複数備えていることを特徴とする請求項１から３の何れか１項に記載の鉛蓄電池。
【発明の詳細な説明】
【技術分野】
【０００１】
本発明は、鉛蓄電池に関する。
【背景技術】
【０００２】
鉛蓄電池は、車載用、産業用の他、様々な用途で使用されている。鉛蓄電池は、正極板と負極板とがセパレータを介して交互に積層された極板群を備える。正極板および負極板は、集電体と、集電体に保持された電極材料とで構成されている。集電体には、上方に突出する集電用の耳部が形成されており、同じ極性の電極板の耳部は、ストラップで集合接続されている。極板群は、電槽に設けられたセル室に挿入され、隣り合うセル室のストラップ同士を電気的に接続することで、接続されている。
【０００３】
例えば、特許文献１には、電槽の隔壁貫通孔を介して隣接するセルの極板群ストラップ相互間を抵抗溶接によって接続するセル間接続部を備える鉛蓄電池において、隔壁貫通孔の下端を、ストラップの上面よりも下方に位置させることで、極板群を大きくし、容量を大きくした鉛蓄電池が開示されている。
【０００４】
また、特許文献２には、隣り合うセル間同士を接続するセル間接続部の直下に、極板集電部を配置せず、セル間接続部の底面と極板集電部の側面とを第一の接合部で接続するストラップを備える鉛蓄電池が開示されている。特許文献２に記載の鉛蓄電池においては、このような構成とすることで、極板を多く配置することができ高容量化を可能としている。
【先行技術文献】
【特許文献】
【０００５】
【特許文献１】特開平９−１４７８２８号公報
【特許文献２】特開２０１１−１８１３２２号公報
【発明の概要】
【発明が解決しようとする課題】
【０００６】
本願発明者らは、鉛蓄電池において、エンジン始動時等に、鉛蓄電池に想定以上の大電流が流れた場合に、ストラップの一部が熱により溶融し、溶融したストラップが極板群に滴下し、極板群が短絡してしまう虞があることに着目し、本願発明を想到するに至った。このように、鉛蓄電池においては、想定以上の大電流が流れることで、極板群に短絡が生じ、鉛蓄電池が使用できなくなる虞がある。
【０００７】
本発明は、上記の問題点に鑑みてなされたものであり、その目的は、想定以上の大電流が流れた場合であっても、使用不能になり難い鉛蓄電池を提供することにある。
【課題を解決するための手段】
【０００８】
上記の課題を解決するために、本発明に係る鉛蓄電池は、正極板と負極板とがセパレータを介して交互に積層され、耳部を有する極板群と、前記極板群の前記耳部に接続されたストラップと、前記極板群および前記ストラップを各々に収納する複数のセル室とを備える鉛蓄電池であって、前記正極板と前記負極板とが積層される方向を第１方向とし、前記耳部と前記ストラップとの接続方向を第２方向とし、前記第１方向および前記第２方向に直交する方向を第３方向とした場合に、前記ストラップは、前記耳部が接続される接続領域を有する基部と、少なくとも一部が前記基部に対して前記第３方向側に位置するタブ部と、前記タブ部から前記第１方向に突出し、隣接する前記セル室に収納された前記極板群同士を電気的に接続するセル間接続部と、を備え、前記第１方向に垂直な面における前記セル間接続部の最小断面積を第１断面積とし、前記接続領域と前記セル間接続部とが一方の側と他方の側となるように、前記ストラップを分ける平面における前記ストラップの最小断面積を第２断面積とした場合に、前記第２断面積は、前記第１断面積よりも大きくなっている。
【発明の効果】
【０００９】
本発明によれば、耐久性に優れた鉛蓄電池を提供することができる。
【図面の簡単な説明】
【００１０】
【図１】本発明の実施形態に係る鉛蓄電池１００を示す斜視図である。
【図２】本発明の実施形態に係る鉛蓄電池１００が備えるストラップ２０を示す斜視図である。
【図３】図２に示すストラップ２０の上面図である。
【図４】図２に示すストラップ２０の側面図である。
【図５】ストラップ２０が隣接するセル室１４間で接続されている状態を示す図である。
【図６】本発明の変形例１に係るストラップ２０１を示す図であり、（ａ）は斜視図であり、（ｂ）は上面図である。
【図７】本発明の変形例２に係るストラップ２０２を示す図であり、（ａ）は斜視図であり、（ｂ）は上面図である。
【発明を実施するための形態】
【００１１】
〔実施形態〕
以下、本発明の実施形態について、図面を参照し詳細に説明する。
【００１２】
（鉛蓄電池１００の概略構成）
図１は、本発明の実施形態に係る鉛蓄電池１００を示す斜視図である。
【００１３】
図１に示すように、鉛蓄電池１００は、複数の極板群１１と、電解液（図示せず）と、極板群１１および電解液を収容し、上方が開口した電槽１２と、電槽１２の開口を封止する蓋１５とを備える。
【００１４】
電槽１２は、上面に開口部１９を有する略直方体形状の容器であり、例えば合成樹脂により形成されている。電槽１２は、隔壁１３を有する。電槽１２の内部は、隔壁１３によって、所定方向に並ぶ複数のセル室１４に仕切られている。
【００１５】
電槽１２の各セル室１４には、極板群１１が１つずつ収納されている。そのため、電槽１２が、６つのセル室１４に区画されている場合には、鉛蓄電池１００は、６つの極板群を備える。また、各セル室１４には、希硫酸を含む電解液が収容されており、極板群１１の略全体が電解液に浸漬されている。
【００１６】
電槽１２の開口部１９は、開口部１９に対応する形状を有する蓋１５で封止される。より具体的には、蓋１５の下面の周縁部分と、電槽１２の開口部１９の周縁部分とが、例えば熱溶着により接合されている。蓋１５は、負極ブッシング１６および正極ブッシング１７を備える。また、蓋１５には、各セル室１４に対応する位置に液口栓１８が設けられている。鉛蓄電池１００に補水を行う際には、液口栓１８を外して補水液が補給される。なお、液口栓１８は、セル室１４内で発生したガスを鉛蓄電池１００の外部に排出する機能を有してもよい。
【００１７】
極板群１１は、それぞれ複数枚の負極板２および正極板３を、セパレータ４を介して積層することにより構成されている。ここでは、負極板２を収容する袋状のセパレータ４を示すが、セパレータの形態は特に限定されない。すなわち、セパレータ４は、袋状でなくてもよく、また正極板３を収容していてもよい。
【００１８】
正極板３は、正極集電体と、正極集電体に支持された正極電極材料とを有する。正極集電体は、略格子状または網目状に配置された骨を有する導電性部材であり、例えば鉛または鉛合金（例えばＰｂ−Ｃａ系合金を含む）により形成されている。また、正極集電体は、その上端付近に、上方に突出する正極耳部３ａを有している。正極電極材料は、二酸化鉛を含んでいる。正極電極材料は、さらに公知の添加剤を含んでいてもよい。
【００１９】
負極板２は、負極集電体と、負極集電体に支持された負極電極材料とを有する。負極集電体は、略格子状または網目状に配置された骨を有する導電性部材であり、例えば鉛または鉛合金により形成されている。また、負極集電体は、その上端付近に、上方に突出する負極耳部２ａを有している。負極電極材料は、鉛（海綿状鉛）を含んでいる。負極電極材料は、さらに、公知の他の添加剤（例えば、カーボン、リグニン、硫酸バリウム等）を含んでいてもよい。
【００２０】
極板群１１の複数の正極板３は、鉛または鉛合金により形成された正極ストラップ２０Ｐに接続されている。これにより、複数の正極板３は、正極ストラップ２０Ｐを介して電気的に並列に接続されている。同様に、極板群１１の複数の負極板２は、鉛または鉛合金により形成された負極ストラップ２０Ｎに接続されている。これにより、複数の負極板２は、負極ストラップ２０Ｎを介して電気的に並列に接続されている。以下では、正極ストラップ２０Ｐと負極ストラップ２０Ｎとを区別しない場合には、単に「ストラップ２０」と記載する。
【００２１】
電槽１２の一方の端部（正極端子側の端部）に位置するセル室１４では、複数の正極板３の耳部３ａは、接続部材５を介して略円柱形状の正極柱７に接続されている。同様に、電槽１２の他方の端部（負極端子側の端部）に位置するセル室１４では、複数の負極板２の耳部２ａは、接続部材５を介して略円柱形状の負極柱９に接続されている。
【００２２】
正極柱７は、蓋１５の正極ブッシング１７の孔に挿入され、例えば溶接等により正極ブッシング１７に接合されている。正極柱７と正極ブッシング１７とにより、外部端子として機能する正極端子部が構成されている。また、負極柱９は、蓋１５の負極ブッシング１６の孔に挿入され、例えば溶接等により負極ブッシング１６に接合されている。負極柱９と負極ブッシング１６とにより、外部端子として機能する負極端子部が構成されている。
【００２３】
（ストラップ２０の構成）
図２から図４は、本実施形態に係るストラップ２０の形状を示す図であり、図２は斜視図を、図３は上面図を、図４は側面図を示している。図５は、ストラップ２０が隣接するセル室１４間で隔壁１３を介して接続されている状態を示す図である。なお、図２から図３は、後述するセル間接続部４０が形成される前のストラップ２０を示している。また、図４においては、説明の便宜上、後述する凹部３３の図示を省略している。
【００２４】
図２から図５に示すように、ストラップ２０は、極板群１１の正極耳部３ａあるいは負極耳部２ａが接続される基部２１と、タブ部３０と、隣接するセル室１４に収納された極板群１１同士を電気的に接続するセル間接続部４０とを備える。以降、説明の便宜上、極板群１１の正極板３と負極板２とが積層されている方向を、第１方向Ｄ１と呼ぶ。また、極板群１１の正極耳部３ａまたは極板群１１の負極耳部２ａと、ストラップ２０とが接続している方向を第２方向Ｄ２と呼ぶ。さらに、第１方向Ｄ１および第２方向Ｄ２に直交する方向を第３方向Ｄ３と呼ぶ。なお、図中においては、第１方向Ｄ１、第２方向Ｄ２および第３方向Ｄ３を、特定方向に伸びる矢印を用いて示している。しかしながら、第１方向Ｄ１とは、図中における矢印が伸びる方向と、矢印が伸びる方向とは逆の方向との両方の方向のことをいう。同様に、第２方向Ｄ２とは、図中における矢印が伸びる方向と、矢印が伸びる方向とは逆の方向との両方の方向のことをいう。さらに、第３方向Ｄ３とは、図中における矢印が伸びる方向と、矢印が伸びる方向とは逆の方向との両方の方向のことをいう。
【００２５】
図５に示すように、ストラップ２０は、隔壁１３に形成された貫通孔１３ａを介して正極ストラップ２０Ｐのセル間接続部４０と、負極ストラップ２０Ｎのセル間接続部４０とが電気的に接続されており、これにより、極板群１１が隣接するセル室１４間で直列に接続されている。なお、図５に示すように、隔壁１３を介して対向する正極ストラップ２０Ｐと、負極ストラップ２０Ｎとは、隔壁１３に対して鏡像対称となる形状を有しているが、同一の機能を有するため、本明細書においては、一方の形状についてのみ説明する。
【００２６】
基部２１は、略直方体形状を有する。基部２１は、極板群１１の正極耳部３ａあるいは負極耳部２ａが接続される接続面２２を備える。ストラップ２０は、接続面２２の接続領域２２ａにおいて、極板群１１の正極耳部３ａまたは負極耳部２ａと接続している。接続領域２２ａは、接続面２２のうち、極板群１１の正極耳部３ａまたは負極耳部２ａが接続されている領域であり、ストラップ２０に対して接続されている正極耳部３ａまたは負極耳部２ａの数と同じ数だけ形成されている。
【００２７】
なお、接続面２２は、基部２１の底面であり、第１方向Ｄ１および第３方向Ｄ３を含む平面に平行となるように設けられている。また、基部２１において、接続面２２の第２方向Ｄ２反対側の面である上面２３も、第１方向Ｄ１および第３方向Ｄ３を含む平面に平行となるように設けられている。
【００２８】
タブ部３０は、セル間接続部４０と基部２１とを電気的に接続しており、セル間接続部４０と接続する板状部３１と、板状部３１および基部２１を接続する傾斜部３５とを備える。また、タブ部３０は、少なくとも一部が基部２１に対して第３方向Ｄ３側に位置している。換言すれば、タブ部３０は、基部２１の側方に設けられている。
【００２９】
板状部３１は、第１方向Ｄ１が厚さ方向となるように形成された板状部材であり、円弧状の上面３２を有している。板状部３１は、底面が基部２１の接続面２２と略面一となるように設けられている。また、板状部３１は、セル間接続部４０側の第１方向Ｄ１の端面が、基部２１の短側面と略面一となるように設けられている。
【００３０】
傾斜部３５は、板状部３１の上面３２から、基部２１の上面２３に向かって傾斜する２つ（複数）の傾斜面を備えている。すなわち、傾斜部３５は、第１傾斜面３６と第２傾斜面３７とを備える。第１傾斜面３６は、第１方向Ｄ１に平行で、第２方向Ｄ２と交差する平面である。また、第２傾斜面３７は、第３方向Ｄ３に平行で、第２方向Ｄ２と交差する平面である。
【００３１】
第１傾斜面３６は、略台形状を有し、基部２１側の幅である第１幅Ｗ１が、基部２１とは反対側（板状部３１側）の幅である第２幅Ｗ２よりも大きくなっている。また、第２傾斜面３７は、略三角形状を有し、基部２１側の幅である第１幅Ｗ１が、基部２１とは反対側（板状部３１側）の幅である第２幅Ｗ２よりも大きくなっている。
【００３２】
なお、傾斜部３５が有する傾斜面の形状は、特に限定されるものではなく、基部２１側の幅である第１幅Ｗ１が、基部２１とは反対側（板状部３１側）の幅である第２幅Ｗ２よりも大きくなっていればよい。傾斜面の形状は、第１傾斜面３６のように略台形状でもよく、第２傾斜面３７のように略三角形状でもよい。傾斜面が、第２傾斜面３７のように、基部２１側から板状部３１側に向かって幅が小さくなる略三角形状を有する場合には、板状部３１側の幅が頂点部分の幅となる。このような場合には、第２幅がゼロであるとする。すなわち、傾斜面が、基部２１側から板状部３１側に向かって幅が小さくなる略三角形状を有する場合であっても、第１幅Ｗ１が、第２幅Ｗ２よりも大きくなっているといえる。
【００３３】
また、タブ部３０は、第１傾斜面３６および第２傾斜面３７よりもセル間接続部４０側に肩部３８を有する。肩部３８は、傾斜部３５と板状部３１の上面３２との間に設けられ、第１傾斜面３６および第２傾斜面３７よりも緩やかな傾斜を有する。換言すれば、肩部３８は、板状部３１の上面３２側の第２方向Ｄ２端部から、傾斜部３５（第１傾斜面３６および第２傾斜面３７）と基部２１とが接続している場所までの間に設けられている。
【００３４】
セル間接続部４０は、タブ部３０の板状部３１から隔壁１３側に突出するように設けられている。なお、セル間接続部４０は、以下の方法により形成される。まず、隔壁１３に形成された貫通孔１３ａを介して、正極ストラップ２０Ｐの板状部３１と負極ストラップ２０Ｎの板状部３１とを対向させる。次に、抵抗溶接機（図示せず）を用いて、正極ストラップ２０Ｐの板状部３１と負極ストラップ２０Ｎの板状部３１とを抵抗溶接する。これにより、板状部３１の一部が溶融し、貫通孔１３ａの内部が鉛あるいは鉛合金（以下、単に鉛と称する）により充填される。その後、鉛が凝固し、セル間接続部４０が形成される。そのため、セル間接続部４０の形状は、隔壁１３に形成された貫通孔１３ａに対応する形状を有する。なお、本実施形態においては、セル間接続部４０は、軸方向が第１方向Ｄ１である、略円柱形状を有する。
【００３５】
また、板状部３１の一部が溶融し、セル間接続部４０となるため、抵抗溶接後の板状部３１には、凹部３３が形成される（図５参照）。さらに、隔壁１３は、極板群１１の積層方向である第１方向Ｄ１に垂直に形成されており、貫通孔１３ａは、第１方向Ｄ１に貫通している。そのため、セル間接続部４０も、タブ部３０から第１方向Ｄ１に突出している。
【００３６】
セル間接続部４０を第１方向Ｄ１に垂直な面で切断した場合の最小断面積を第１断面積とする。また、基部２１の接続領域２２ａの全てが一方の側、セル間接続部４０が他方の側となるように、ストラップ２０を分割するような平面を平面Ｐとする。さらに、タブ部３０を任意の平面Ｐにおいて切断した場合のストラップ２０の断面積のうち、断面積が最小となる断面積（最小断面積）を第２断面積とする。なお、セル間接続部４０と、タブ部３０との境界面を平面Ｐとすることも考えられるが、そのような面は、平面Ｐに含まないこととする。ここで、ストラップ２０は、上述した第１断面積よりも第２断面積のほうが大きくなっている。なお、第１断面積は、図４におけるセル間接続部４０の面積と等しい。また、図４に平面Ｐの一例を示す。
【００３７】
ここで、第１断面積を、セル間接続部４０を第１方向Ｄ１に垂直な面で切断した場合の断面積のうち、最小断面積とした。これは、セル間接続部４０が、第１方向Ｄ１の位置により異なる断面積を示すような形状を有している場合に、断面積が最小となる位置でセル間接続部４０を切断した場合の断面積を第１断面積とすることを意味する。
【００３８】
（作用効果）
次に、本実施形態に係る鉛蓄電池１００の作用効果について説明する。
【００３９】
一般的に、鉛蓄電池が例えば車載用のバッテリーとして使用される場合には、エンジンを始動するときに、一時的に大電流を流す必要がある。このように鉛蓄電池に大電流が流れる場合に想定以上の大電流が流れると、ストラップの一部が熱により溶融してしまう可能性がある。
【００４０】
鉛蓄電池１００は、タブ部３０の少なくとも一部が基部２１に対して第３方向Ｄ３側に配置されたストラップ２０を備え、ストラップ２０は、第１断面積よりも第２断面積の方が大きくなっている。このような構成とすることで、鉛蓄電池１００に想定以上の大電流が流れた場合に、タブ部３０を流れる電流の電流密度よりも、セル間接続部４０を流れる電流の電流密度のほうが大きくなる。そのため、セル間接続部４０よりもタブ部３０が先に溶融してしまうことを抑制することができる。
【００４１】
ストラップ２０がタブ部３０において溶融した場合には、溶融した鉛が極板群１１の上に落下し、極板同士が短絡し、鉛蓄電池１００が使用不能となることが考えられる。一方、ストラップ２０がセル間接続部４０において溶融した場合には、セル間接続部４０の周囲に隔壁１３が存在するため、溶融した鉛は、隔壁１３に沿って貫通孔１３ａから下方へ流出し、隔壁１３に付着した状態で凝固する。そのため、溶融した鉛が極板群１１と接触する可能性が低い。また、溶融した鉛は、隔壁に沿って流れるため、極板群に到達したとしても、隔壁１３側の端部にある正極板３または負極板２の何れかにのみ接触し、短絡が生じにくいという効果を奏する。このように、本実施形態に係るストラップ２０においては、ストラップ２０から溶融した鉛が極板群１１上へ滴下することによる短絡が生じにくいという効果を奏する。
【００４２】
このように、本実施形態に係るストラップ２０を備える鉛蓄電池１００は、想定以上の大電流が流れた場合であっても、極板群１１の短絡が生じにくい。そのため、鉛蓄電池１００が、極板群１１の短絡により、突然使用不能になる可能性を低減することができる。
【００４３】
ストラップ２０がタブ部３０において溶融し、溶断に至った場合には、溶融した鉛は、隔壁１３に沿って貫通孔１３ａから下方へと流れ出ることとなる。そのため、貫通孔１３ａ内の鉛量が減るため、溶断したセル間接続部４０同士が再度接触し難い。
【００４４】
一方、従来から用いられている、タブ部が基部の上部に設けられているような形状を有するストラップを備える鉛蓄電池においては、基部とタブ部とが、重力方向に並んで配置されている。そのため、基部とタブ部との接触面積が、一定程度大きくなっている。このような形状を有するストラップにおいては、溶断あるいは破断しないように形状を工夫するという発想は、セル間接続部に対してのみ行われており、それ以外の部分に着目し、タブ部をセル間接続部よりも溶断あるいは破断しにくいようにするという発想は無かった。
【００４５】
次に、ストラップ２０の形成方法について説明する。ストラップ２０は、従来から用いられているＣＯＳ（キャストオンストラップ）法により形成することができる。ＣＯＳ法は、まず鋳型に溶融した鉛を注湯し、極板群１１の正極耳部３ａまたは負極耳部２ａを溶融した鉛に浸漬させ、冷却する。その後、離型し、ストラップ２０を形成する方法である。
【００４６】
ここで、本実施形態に係るストラップ２０のように、タブ部が基部の側方に設けられている場合には、鋳造時にタブ部へ溶湯が流れ込みにくいという問題がある。すなわち、従来から用いられている、基部の上部にタブ部が設けられた構造を有するストラップでは、タブ部の底面が基部の上面と接続することとなるため、溶湯が流れ込み易いように、基部とタブ部との接続面積を大きくすることが容易であった。さらに、基部の上部にタブ部が設けられている場合には、鋳造時にタブ部が基部に対して重力方向下方となるため、基部から注湯した場合にタブ部に溶湯が流れ込み易い。一方、基部の側方にタブ部を設けたストラップの場合には、基部の側面とタブ部の側面との接触領域が基部とタブ部との接続面積となるため、基部とタブ部との接続面積が小さくなる。
【００４７】
本実施形態に係るストラップ２０においては、タブ部３０が、第１傾斜面３６および第２傾斜面３７を備える傾斜部３５を有している。また、第１傾斜面３６および第２傾斜面３７は、基部２１側の幅である第１幅Ｗ１が、基部２１とは反対側（板状部３１側）の幅である第２幅Ｗ２よりも大きくなっている。そのため、基部２１側から注湯した場合に、ストラップ２０が傾斜部３５を有していない構成に比べて、基部２１側からタブ部３０側へと溶湯が流れ込み易くなるという効果を奏する。その結果、ストラップ２０を鋳造するために必要な時間が短くなり、鉛蓄電池１００の生産性を向上させることができる。
【００４８】
本実施形態に係るストラップ２０のように、タブ部３０の少なくとも一部が基部２１に対して第３方向Ｄ３側に位置している場合には、基部の上部にタブ部が設けられている形状のストラップに比べて、離型時にタブ部３０が離型しにくく、離型不良が生じるという問題がある。すなわち、基部の上部にタブ部が設けられている形状のストラップを離型するときには、鋳型の下方から基部を押圧することで、ストラップの重心近くを押圧することができる。そのため、基部だけでなく、タブ部も離型しやすい。一方、本実施形態に係るストラップ２０は、タブ部３０が第３方向Ｄ３側に位置している。そのため、上述した形状に比べて、ストラップ２０の重心がタブ部３０側にずれている。これにより、鋳型の下方から基部２１を押圧した場合には、タブ部３０が離型しにくい。
【００４９】
本実施形態に係るストラップ２０は、傾斜部３５の第１傾斜面３６および第２傾斜面３７と、セル間接続部４０との間に、第１傾斜面３６および第２傾斜面３７よりも緩やかな傾斜を有する肩部３８を備える。このように、ストラップ２０が肩部３８を有していることにより、ストラップ２０の鋳造後の離型時において、鋳型の下方から肩部３８をピンで押圧しながら離型することができ、ストラップ２０を容易に離型することが可能となる。これにより、ストラップ２０の離型不良を防止し、鉛蓄電池１００の生産性を向上させることができる。
【００５０】
また、ストラップ２０は、タブ部３０の傾斜部３５が複数の傾斜面（第１傾斜面３６および第２傾斜面３７）を備える。このように、ストラップ２０が複数の傾斜面を備えていることにより、タブ部３０の最小断面積である第２断面積を大きくすることが容易となる。また、傾斜部３５が複数の傾斜面を有していることにより、ストラップ２０の鋳造時に、タブ部３０への湯流れがより一層良くなり、ストラップ２０の成形性を向上させることができる。
【００５１】
〔変形例〕
以下、本発明の変形例について、図面を用いて説明する。なお、説明の便宜上、実施形態において説明した部材と同じ機能を有する部材については、同じ符号を付記し、その説明を省略する。
【００５２】
（変形例１）
図６は、変形例１に係るストラップ２０１を示す図であり、図６の（ａ）は斜視図を、図６の（ｂ）は上面図を示している。
【００５３】
図６に示すように、変形例１に係るストラップ２０１のタブ部３０は、実施形態に係る傾斜部３５とは、異なる形状の傾斜部３５１を備える。
【００５４】
ストラップ２０１の傾斜部３５１は第１傾斜面３６および第２傾斜面３７を備える。傾斜部３５１は、第２方向Ｄ２上方から平面視（上面視）した場合において、実施形態に係る傾斜部３５に対して第１方向Ｄ１の幅は同じであるが、第３方向Ｄ３の幅が広い形状を有している。すなわち、実施形態に係る傾斜部３５は、基部２１の上面２３の第３方向Ｄ３の全幅に亘って形成されていないのに対して、変形例１に係る傾斜部３５１は、基部２１の上面２３の第３方向Ｄ３の全幅に亘って形成されている。
【００５５】
このような形状とすることで、変形例１に係るストラップ２０１は、実施形態に係るストラップ２０に比べて使用する鉛量が増えるため、質量は増加するものの、実施形態に係るストラップ２０と同様の効果を奏する。
【００５６】
（変形例２）
図７は、変形例２に係るストラップ２０２を示す図であり、図７の（ａ）は斜視図を、図７の（ｂ）は上面図を示している。
【００５７】
図７に示すように、変形例２に係るストラップ２０２のタブ部３０は、実施形態に係る傾斜部３５とは、異なる形状の傾斜部３５２を備える。
【００５８】
ストラップ２０２の傾斜部３５２は、第１傾斜面３６および第２傾斜面３７を備える。傾斜部３５２は、第２方向Ｄ２上方から平面視（上面視）した場合において、実施形態に係る傾斜部３５に対して第１方向Ｄ１の幅が広く、また第３方向Ｄ３の幅が広い形状を有している。すなわち、変形例２に係る傾斜部３５２は、基部２１の上面２３の略全面に亘って形成されている。
【００５９】
このような形状とすることで、変形例２に係るストラップ２０２は、実施形態に係るストラップ２０に比べて使用する鉛量が増えるため、質量は増加するものの、実施形態に係るストラップ２０と同様の効果を奏する。
【００６０】
（他の変形例）
上述した実施形態においては、傾斜部３５が第１傾斜面３６と第２傾斜面３７とを備える例を示した。しかしながら傾斜部３５は、傾斜面を１つのみしか備えていなくてもよく、さらに３つ以上の傾斜面を備えていてもよい。そのような場合であっても、傾斜面の第２幅Ｗ２よりも第１幅Ｗ１の方が大きくなっていることが好ましい。
【００６１】
また、上述した実施形態においては、第１傾斜面３６が、第１方向Ｄ１に平行な平面であり、第２傾斜面３７が第３方向に平行な平面である例を示したが、本発明は、これに限られるものではない。すなわち、第１傾斜面３６および第２傾斜面３７は、第１方向Ｄ１と第３方向Ｄ３との何れにも交差するように設けられていてもよい。例えば、第１傾斜面３６の基部２１側の端部が、第１方向Ｄ１と第３方向Ｄ３との何れとも交差するように設けられていてもよい。さらに、第１傾斜面３６および第２傾斜面３７は、平面に限られず、曲面であってもよい。これらのような場合であっても、第１幅Ｗ１が、第２幅Ｗ２よりも大きくなっていれば、本発明に含まれる。
【００６２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６３】
〔まとめ〕
（１）本発明の一態様に係る鉛蓄電池１００は、正極板３と負極板２とがセパレータ４を介して交互に積層され、耳部（正極耳部３ａ、負極耳部２ａ）を有する極板群１１と、極板群１１の耳部（正極耳部３ａ、負極耳部２ａ）に接続されたストラップ２０，２０１，２０２と、極板群１１およびストラップ２０，２０１，２０２を各々に収納する複数のセル室１４とを備える鉛蓄電池１００であって、正極板３と負極板２とが積層される方向を第１方向Ｄ１とし、極板群１１と耳部（正極耳部３ａ、負極耳部２ａ）との接続方向を第２方向Ｄ２とし、第１方向Ｄ１および第２方向Ｄ２に直交する方向を第３方向Ｄ３とした場合に、ストラップ２０，２０１，２０２は、耳部（正極耳部３ａ、負極耳部２ａ）が接続される接続領域２２ａを有する基部２１と、少なくとも一部が基部２１に対して第３方向側Ｄ３に位置するタブ部３０と、タブ部３０から第１方向Ｄ１に突出し、隣接するセル室１４に収納された極板群１１同士を電気的に接続するセル間接続部４０と、を備え、第１方向Ｄ１に垂直な面におけるセル間接続部４０の最小断面積を第１断面積とし、接続領域２２ａとセル間接続部４０とが一方の側と他方の側となるように、ストラップ２０，２０１，２０２を分ける平面Ｐにおけるストラップ２０，２０１，２０２の最小断面積を第２断面積とした場合に、第２断面積は、第１断面積よりも大きくなっている。
【００６４】
上記の構成によれば、想定以上の大電流が、鉛蓄電池１００に流れた場合に、セル間接続部４０よりもタブ部３０が先に溶融してしまうことを抑制することができる。その結果、ストラップ２０，２０１，２０２が大電流により溶融してしまったとしても、ストラップ２０，２０１，２０２から溶融した鉛が極板群１１上へ滴下することによる短絡が生じにくくなる。そのため、本態様に係る鉛蓄電池１００は、想定以上の大電流が流れた場合であっても、使用不能になり難い。
【００６５】
（２）本発明の一態様に係る鉛蓄電池１００は、タブ部３０が、第２方向Ｄ２と交差し、基部２１と接続する傾斜面（第１傾斜面３６、第２傾斜面３７）と、傾斜面（第１傾斜面３６、第２傾斜面３７）よりもセル間接続部４０側に設けられ、傾斜面（第１傾斜面３６、第２傾斜面３７）よりも緩やかな傾斜を有する肩部３８と、を備えていてもよい。
【００６６】
上記の構成によれば、ストラップ２０，２０１，２０２が肩部３８を有していることにより、ストラップ２０の鋳造後の離型時において、鋳型の下方から肩部３８をピンで押圧することができ、ストラップ２０，２０１，２０２を容易に離型することが可能となる。これにより、ストラップ２０，２０１，２０２の離型不良を防止し、鉛蓄電池１００の生産性を向上させることができる。
【００６７】
（３）本発明の一態様に係る鉛蓄電池１００は、タブ部３０が、傾斜面（第１傾斜面３６、第２傾斜面３７）を備え、傾斜面（第１傾斜面３６、第２傾斜面３７）は、第２方向Ｄ２と交差し、基部２１と接続しており、基部２１側の幅を第１幅Ｗ１とし、基部２１側とは反対側の幅を第２幅Ｗ２とした場合に、第２幅Ｗ２よりも第１幅Ｗ１の方が大きくなっていてもよい。
【００６８】
上記の構成によれば、ストラップ２０，２０１，２０２の鋳造時において、ストラップ２０，２０１，２０２が傾斜部３５を有していない構成に比べて、基部２１側からタブ部３０側へと溶湯が流れ込み易くなる。その結果、タブ部３０への湯流れが良くなり、ストラップ２０，２０１，２０２の成形不良を抑制することができる。
【００６９】
（４）本発明の一態様に係る鉛蓄電池１００は、タブ部３０が、傾斜面（第１傾斜面３６、第２傾斜面３７）を備え、傾斜面（第１傾斜面３６、第２傾斜面３７）は、第２方向Ｄ２と交差し、基部２１と接続しており、タブ部３０が、傾斜面（第１傾斜面３６、第２傾斜面３７）を複数備えていてもよい。
【００７０】
上記の構成によれば、ストラップ２０，２０１，２０２が複数の傾斜面を備えていることにより、タブ部３０の最小断面積である第２断面積を大きくすることが容易となる。また、傾斜部３５が複数の傾斜面を有していることにより、ストラップ２０，２０１，２０２の鋳造時に、タブ部３０への湯流れがより一層良くなり、ストラップ２０，２０１，２０２の成形性を向上させることができる。
【符号の説明】
【００７１】
２：負極板  ２ａ：負極耳部（耳部）  ３：正極板  ３ａ：正極耳部（耳部）  ４：セパレータ  １１：極板群  １４：セル室  ２０，２０１，２０２：ストラップ  ２２ａ：接続領域  ３０：タブ部  ３６：第１傾斜面（傾斜面）  ３７：第２傾斜面（傾斜面）  ３８：肩部  ４０：セル間接続部  １００：鉛蓄電池  Ｄ１：第１方向  Ｄ２：第２方向  Ｄ３：第３方向  Ｐ：平面  Ｗ１：第１幅  Ｗ２：第２幅
【図１】
2020064731.tif 000003
【図２】
2020064731.tif 000004
【図３】
2020064731.tif 000005
【図４】
2020064731.tif 000006
【図５】
2020064731.tif 000007
【図６】
2020064731.tif 000008
【図７】
2020064731.tif 000009